(57)【特許請求の範囲】
【請求項１】
マルチペア通信ケーブルのワイヤの対の対応するワイヤに接続されるために設けられた、接続ピンの第一の対（１）、第二の対（２）、第三の対（３）、および第四の対（４）を備えるめすコネクタであって、前記めすコネクタは、ピンの前記第三の対（３）および第四の対（４）と整列した一連のピンを形成するピンの中央の対（５）および更なる対（６）を備え、前記中央の対（５）は、前記一連のピンの中央に位置し、かつピンの前記更なる対（６）の二つのピンは、ピンの前記中央の対（５）の両側に位置し、ピンの前記第三の対（３）および第四の対（４）は、前記一連のピンの端にそれぞれ位置し、ピンの前記中央の対（５）は、この中央の対（５）とピンの前記第一の対（１）とを接続する第一対の電気的コンタクトに接続され、かつピンの前記更なる対（６）は、このピンの更なる対（６）とピンの前記第二の対（２）とを接続する第二対の電気的コンタクト（１８）に接続されており、前記第一対および第二対（１８）の電気的コンタクトは、第一の位置と第二の位置との２つの位置に位置付けられることができ、
第一の位置で、他のピン（３’、４’、５’、６’）から分離される第一および第二のホルダ部（７’、８’）に設けられたピンの第一の対（１’）および第二の対（２’）を有する第一のタイプのおすコネクタを接続すると、前記ピンの第一の対（１）と前記ピンの中央の対（５）との間に電気接続はなく、かつ前記ピンの第二の対（２）と前記ピンの更なる対（６）との間に電気接続はなく、
第二の位置で、前記一連のピンと結合する４つの整列したピンの対（３”、４”、５”、６”）からなる第二のタイプのおすコネクタを接続すると、前記ピンの第一の対（１）と前記ピンの中央の対（５）との間に電気接続が存在し、かつ前記ピンの第二の対（２）と前記ピンの更なる対（６）との間に電気接続が存在することを特徴とするめすコネクタ。
【請求項２】
ワイヤの対、特に個々にシールドされたワイヤの対を有するマルチペア通信ケーブルを接続するためのコンタクトセットであって、
めすコネクタに差し込むために用意されたおすコネクタと
めすコネクタとを備え、前記めすコネクタは、マルチペア通信ケーブルのワイヤの対の対応するワイヤに接続されるために設けられた、接続ピンの第一の対（１）、第二の対（２）、第三の対（３）、および第四の対（４）を備え、前記めすコネクタは、ピンの前記第三の対（３）および第四の対（４）と整列した一連のピンを形成するピンの中央の対（５）および更なる対（６）を備え、前記中央の対（５）は、前記一連のピンの中央に位置し、かつピンの前記更なる対（６）の二つのピンは、ピンの前記中央の対（５）の両側に位置し、ピンの前記第三の対（３）および第四の対（４）は、前記一連のピンの端にそれぞれ位置し、ピンの前記中央の対（５）は、この中央の対（５）とピンの前記第一の対（１）とを接続する第一対の電気的コンタクトに接続され、かつピンの前記更なる対（６）は、このピンの更なる対（６）とピンの前記第二の対（２）とを接続する第二対の電気的コンタクト（１８）に接続されており、前記第一対および第二対（１８）の電気的コンタクトは、第一の位置と第二の位置との２つの位置に位置付けられることができ、
第一の位置で、他のピン（３’、４’）から分離される第一および第二のホルダ部に設けられたピンの第一の対（１’）および第二の対（２’）を有する第一のタイプのおすコネクタを接続すると、前記ピンの第一の対（１）と前記ピンの中央の対（５）との間に電気接続はなく、かつ前記ピンの第二の対（２）と前記ピンの更なる対（６）との間に電気接続はなく、
第二の位置で、前記一連のピンと結合する４つの整列したピンの対（３”、４”、５”、６”）からなる第二のタイプのおすコネクタを接続すると、前記ピンの第一の対（１）と前記ピンの中央の対（５）との間に電気接続が存在し、かつ前記ピンの第二の対（２）と前記ピンの更なる対（６）との間に電気接続が存在する、コンタクトセット。
【請求項３】
前記第一のタイプである前記おすコネクタが、ホルダ部にそれぞれ設けられたピンの対（１’、２’、３’、４’）を有し、各ホルダ部が、シールド（２０）によって相互に分離される請求項２に記載のコンタクトセット。
【請求項４】
前記シールド（２０）が、前記第一のタイプであるおすコネクタの接続時に、めすコネクタのピンの前記更なる対（６）を接地するために設けられる請求項３に記載のコンタクトセット。
【請求項５】
前記第一のタイプである前記おすコネクタが、他のピン（３’、４’、５’、６’）から分離された第一および第二のホルダ部（７’、８’）に設けられたピンの第一の対（１’）および第二の対（２’）を有し、シールド（１９）が、前記おすコネクタの接続時に、めすコネクタに設けられたピンの前記更なる対（６）を接地するように、前記おすコネクタの対応する第二のホルダ部（８’）の周りに設けられる請求項２に記載のコンタクトセット。
【請求項６】
前記おすコネクタが、前記めすコネクタのピンの中央の対（５）に結合するように設けられた接続ピンの中央の対（５’）を備える請求項２から５のいずれか一項に記載のコンタクトセット。
【請求項７】
前記おすコネクタが、突起（２４）を備え、かつ前記めすコネクタが、前記突起（２４）を受けるための対応する切込み（２５）を備える請求項２から６のいずれか一項に記載のコンタクトセット。
【発明の詳細な説明】
【０００１】
【発明の属する技術分野】
本発明は、ワイヤの対、特に個々にシールドされたワイヤの対を有するマルチペア通信ケーブルを接続するためのコンタクトセットであって、前記セットはめすコネクタに差し込むために用意されたおすコネクタを備え、前記めすコネクタは前記ワイヤの対の対応するワイヤに接続するために設けられた接続ピンの第一、第二、第三および第四の対を備えるコンタクトセットに関する。
【０００２】
【従来の技術】
この種のコンタクトセットはＥＰ０７５５１００によって知られており、これにおいてはピンの前記四つの対がそれぞれ別個のホルダ部に設けられる。ホルダ部をそれぞれ別個に設けることによって、接続ピンの各対間のクロストークがかなり減少し、それによって６００ＭＨｚまでおよびそれを超える周波数でも良好な伝送特性が得られる。
【０００３】
この知られているコンタクトセットの欠点は、めすコネクタが特殊な構成であるため、このめすコネクタに対応する特殊な構成を有するおすコネクタしかこのめすコネクタに結合できない点にある。特に、知られているＲＪ−４５おすコネクタはこのめすコネクタに結合できない。
【０００４】
【発明が解決しようとする課題】
本発明の目的は、高周波数、特に６００ＭＨｚまでおよびそれを超える周波数でも伝送が可能で、しかもめすコネクタが、周波数１００ＭＨｚおよび２００ＭＨｚまでの知られているＲＪ−４５おすコネクタ（カテゴリー５または６のコネクタ）を差し込まれる適合性を有するコンタクトセットを提供することである。
【０００５】
【課題を解決するための手段】
この目的のため、本発明によるコンタクトセットは、前記めすコネクタが、ピンの前記第三および第四の対と整列した一連のピンを形成するピンの中央の対および更なる対を備えるコンタクトセットであって、前記中央の対は前記一連のピン中央に位置し、かつピンの更なる対の二つのピンはピンの前記中央の対の両側に位置し、ピンの前記第三および第四の対は前記一連のピンの端にそれぞれ位置し、ピンの前記中央の対はこの中央の対とピンの前記第一の対とを接続する第一対の電気的コンタクトに接続され、かつピンの前記更なる対はこの更なる対とピンの前記第二の対とを接続する第二対の電気的コンタクトに接続されており、第一および第二のホルダ部に設けられた対応するピンの第一および第二の対を他のピンとは別に有する第一のおすコネクタを接続すると、前記第一対および第二対の電気的コンタクトが解放され、かつピンの前記一連のピンに結合するピンの四つの整列した対から成る第二のおすコネクタを接続すると前記第一対および第二対の電気的コンタクトが保持されることを特徴とする。
【０００６】
ピンの第三および第四の対ならびにピンの追加の対、即ちピンの中央の対および更なる対を備える八つの整列したピンで形成された構成は、ＲＪ−４５コネクタの構成に対応するので、得られためすコネクタは知られているＲＪ−４５コネクタを差し込まれるのに適合している。一方では、ピンの中央の対と第一の対の間、他方では、ピンの更なる対と第二の対との間に電気的コンタクトを与えることによって、ＲＪ−４５コネクタを使用時に、電気信号がピンの中央および更なる対からピンの第一および第二の対を介して、ピンの第一および第二の対に接続されたワイヤの対に伝送される。ピンの対応する第一および第二の対を有するおすコネクタを差し込む時には、電気的コンタクトが解放され、電気信号は
おすコネクタからのピンの第一、第二、第三および第四の対からめすコネクタからのピンの第一、第二、第三および第四の対に伝送される。この伝送は高周波数で達成することができる。なぜならば、おすコネクタのピンの第一および第二の対は別個のホルダ部に位置し、ピンの残る第三および第四の対は相互に十分に隔てられ、即ち、
整列した連の両端にあり、かつピンの中央および更なる対は、ピンの第一および第二の対との電気的コンタクトが解放された状態で、電気信号を受け取らないからである。したがって、電気信号はめすコネクタの中央および更なる対に達しない。そのため、これらのピン間にはクロストークがない。
【０００７】
さらに干渉を少なくするため、前記第一のおすコネクタのピンの各対は対応するホルダ部内に設けられ、各ホルダ部はシールドによって相互に分離される。
【０００８】
前記シールドは、前記第一のおすコネクタの接続時に、めすコネクタのピンの前記更なる対を接地するために設けられることが好ましい。
【０００９】
前記おすコネクタは、めすコネクタのピンの中央の対に結合するように設けられた接続ピンの対応する中央の対を備えることが好ましい。それによって、ピンの中央の対を追加の電気信号のために使用することができる。
【００１０】
本発明はまた、本発明によるコンタクトセットにおいて使用するめすコネクタにも関する。
【００１１】
【発明の実施の形態】
以下に本発明を添付図面を参照して詳細に説明する。
【００１２】
図１および図２に本発明によるめすコネクタを示す。このコネクタは、第一のホルダ部７内に置かれた接続ピンの第一の対１および第二のホルダ部８内に置かれた接続ピンの第二の対２を備える。更なるホルダ部９が、後述するようにＲＪ−４５おすコネクタを受けるように設計されている。この更なるホルダ部は一連の接続ピン３〜６を備え、一連の接続ピンの第一の端に接続ピンの第三の対３および他方の端に接続ピンの第四の対４を備える。図２に示すように、一連の８本のワイヤ１０〜１７が接続ピン１〜４にそれぞれ接続するように設けられる。ワイヤの対同士は、接続ピンとの接続におけるクロストークを減少するために相互に分離される。
【００１３】
ワイヤの対は、図２に示すようにそれぞれシールドされることが好ましい。
【００１４】
本発明によれば、さらに図７および図８に関して説明するように、標準のＲＪ−４５おすコネクタに設けられた対応するピンと結合するように接続ピンの中央の対５および更なる対６が設けられる。
【００１５】
図５は、めすコネクタからの接続ピンの更なる対６は電気的接続部１８によって接続ピンの第二の対２に電気的に接続されることを示す。同様に、接続ピンの中央の対５は、接続ピンの第一の対１（図示せず）に電気的に接続される。接続ピンの対応する第一の対１’および第二の対２’を有する対応するホルダ部７’および８’を有するおすコネクタ（図３および図４）を差し込むと、電気的接続部１８が解放され、ワイヤ１４’〜１７’を経て伝送される信号は、ピン１’−１および２’−２を経てワイヤ１４〜１７に伝送され、ピン５および６を経由しない。ワイヤ１０’〜１３’を経て伝送される信号はピン４’−４および３’−３を経てワイヤ１０〜１３に伝送される。これらのピン４’−４および３’−３は、図４および図６に明示のように、一連のピンの端に位置するため、これらのピンの対の間のクロストークは６００ＭＨｚまでの高伝送周波数でもかなり抑えられる。
【００１６】
おすコネクタからのホルダ部８’はシールド１９（図３および図４）を備えることが好ましく、それによって、このコネクタをめすコネクタ（図５および図６）に差し込むと、解放されていた電気的接続部１８がシールド１９に接触するためにピンの更なる対６を接地させることができる。
【００１７】
さらに、同じ理由からホルダ部７’もシールドするのがよく、それによってピンの中央の対５が接地される。それに代えて、中央の対は接地されず、追加の信号のために使用される。そのために、おすコネクタはピンの対応する中央の対５’を備える。おすコネクタにはまた、ピンの更なる対６’を備えることもできる。おすコネクタにおいては、ピンの第一の対１’および第二の対２’はピンの中央の対５’および更なる対６’には接続されない。
【００１８】
図７および図８は、標準のＲＪ−４５おすコネクタを示す。
【００１９】
この種のコネクタを本発明によるめすコネクタ（図５および図６）に差し込むときには、ピンの第一および第二の対はおすコネクタの対応するピンには接続されない。ただし、ワイヤ１４〜１７がそれらのピン１および２に接続される。
【００２０】
電気的接続部１８は、おすコネクタからの対応するワイヤ１４”〜１７”（図７）からめすコネクタからのワイヤ１４〜１７への信号の伝送を保証する。なぜならば、信号は、ピンの中央の対５および更なる対６からピンの第一の対１および第二の対２に伝送され、経路５”−５−１−１４および１５と、６”−６−２−１６および１７をたどるからである。
【００２１】
ピンの中央の対および更なる対は図３および図４のおすコネクタから省くことができ、あるいはそれに代えて追加の信号のために使用することもできることに留意すべきである。
【００２２】
つぎに図９から図１７に本発明によるコンタクトセットの第二の好ましい実施形態を示す。
【００２３】
前と同一もしくは同様の特徴部分には同じ参照符号を付してある。
【００２４】
図９のおすコネクタもまた、前に説明したようにピンの第一の対１’、第二の対２’、第三の対３’および第四の対４’を備える。この実施形態によれば、ピンの各対が対応するホルダ部内に設けられる。したがって、四つのホルダ部があり、シールド２０によって分離される。シールド２０は、おすコネクタの接続時にめすコネクタ（図１５参照）のピンの更なる対６の接地のために設けるのが好ましい。それは、たとえば、シールド２０とピン６とを接続する接続プレート２１を設けることによって達成される。この実施形態によれば、ピンの中央の対５もまた接地される。それに代えて、シールドはピンの更なる対にのみ接触し、ピンの中央の対は追加の電気信号のために使用することもできる。
【００２５】
おすコネクタ（図１２）およびめすコネクタ（図１７）はさらに、ケーブルのワイヤ（図示せず）の接続を容易にするための接続フォーク２２を備える。
【００２６】
図１４に示すように、第二の接続ピン２が二つの部分２ａおよび２ｂに分離される。同様に、第一の接続ピン１が二つの部分（図示せず）に分離される。ピンの中央の対５は、この中央の対５をピンの第一の対１に接続する第一の電気的コンタクト（図示せず）に接続される。同様に、ピンの更なる対６の各ピンが、この対６をピンの第二の対の第二の部分２ｂに接続する第二の電気的コンタクト２６に接続される。
【００２７】
図１１のおすコネクタが図１４のめすコネクタに接続されると、おすコネクタに設けられた突起２３によって第二の電気的コンタクト２６と第二の接続ピンの第二の部分２ｂとの接触が解放され、同時に第一の部分２ａがピンの第二の対からの第二の部分２ｂに接続され、それによっておすコネクタのピンの第二の対２’に接続されたワイヤからの電気信号がめすコネクタのピンの第二の対２に接続された対応するワイヤに伝送される。同様に、突起２３によって第一の電気的コンタクト（図示せず）と第一の接続ピンの第二の部分との接触が解放され、同時に第一の部分がピンの第一の対１からの第二の部分に接続され、それによっておすコネクタのピンの第一の対１’に接続されたワイヤからの電気信号がめすコネクタのピンの第一の対１に接続された対応するワイヤに伝送される。
【００２８】
本発明によるおすコネクタが従来のＲＪ−４５めすコネクタに接続されることを防止するには、図９から図１３のおすコネクタに突起２４を備え、かつめすコネクタに対応する切込み２５（図１５に例示）を備えることが好ましい。従来のＲＪ−４５おすコネクタは、本発明によるめすコネクタと接続可能である。
【００２９】
従来のＲＪ−４５おすコネクタが接続されると、ピンの中央の対をピンの第一の対１に接続する第一の電気的コンタクトが保持され、それによって従来のおすコネクタのピンの中央の対に接続されたワイヤからの電気信号がめすコネクタのピンの第一の対１に接続されたワイヤに伝送される。同様に、ピンの更なる対６をピンの第二の対２ｂに接続する第二の電気的コンタクト２６が保持され、それによって、従来のおすコネクタのピンの中央の対に接続されたワイヤからの電気信号がめすコネクタのピンの第二の対２ｂに接続されたワイヤに伝送される。
【００３０】
二つの好ましい実施形態、特に図６および図１５の実施形態を比較すると、めすコネクタのピンの様々な対は必ずしも別個のホルダ部に設けなくてもよいことが明らかであろう。但しおすコネクタにおいては（図４および図１０参照）、少なくともピンの第一、第二および他の対間を分離しなければならない。ピンの第三および第四の対の間の分離は少なくともピンの前記の更なる対を接地するためのシールドを設けることによって行うことが好ましい。
【００３１】
以上においては、信号は常におすコネクタに接続されたワイヤからめすコネクタに接続されたワイヤに伝送されるように説明したが、もちろん逆方向にも伝送される。
【図面の簡単な説明】
【図１】本発明によるめすコネクタの正面部を示す斜視図である。
【図２】図１のめすコネクタの背面部を示す斜視図である。
【図３】本発明の第一の好ましい実施形態によるおすコネクタの側面図である。
【図４】本発明の第一の好ましい実施形態によるおすコネクタの正面図である。
【図５】図１のめすコネクタの側面図である。
【図６】図１のめすコネクタの正面図である。
【図７】ＲＪ−４５おすコネクタの側面図を示す。
【図８】ＲＪ−４５おすコネクタの正面図を示す。
【図９】本発明の第二の好ましい実施形態によるおすコネクタの斜視図である。
【図１０】図９のおすコネクタの正面図である。
【図１１】図９のおすコネクタの側面図である。
【図１２】図９のおすコネクタの背面図である。
【図１３】図９のおすコネクタの上面図である。
【図１４】図１５のめすコネクタのＸＩＶ−ＸＩＶ線横断面図である。
【図１５】図９から図１３のおすコネクタを受ける第二の実施形態によるめすコネクタの側面図である。
【図１６】図１４のめすコネクタのＸＶＩ−ＸＶＩ線上面図である。
【図１７】図１４のめすコネクタの背面図である。
【符号の説明】
１〜６  接続ピン
７〜９  ホルダ部
１０〜１７  ワイヤ
１８  電気的接続部
【図１】
0004312866.tif 000002
【図２】
0004312866.tif 000003
【図３】
0004312866.tif 000004
【図４】
0004312866.tif 000005
【図５】
0004312866.tif 000006
【図６】
0004312866.tif 000007
【図７】
0004312866.tif 000008
【図８】
0004312866.tif 000009
【図９】
0004312866.tif 000010
【図１０】
0004312866.tif 000011
【図１１】
0004312866.tif 000012
【図１２】
0004312866.tif 000013
【図１３】
0004312866.tif 000014
【図１４】
0004312866.tif 000015
【図１５】
0004312866.tif 000016
【図１６】
0004312866.tif 000017
【図１７】
0004312866.tif 000018